(57)【要約】      （修正有）【課題】低品位の放熱性能、および低いイングレスプロテクション等級などの問題に対処することができる、逆流防止ダイオードを備えた接続箱を提供する。【解決手段】少なくとも１つの内蔵キャビティ４が箱本体内に設けられており、内蔵キャビティ４は、放熱装置６にしっかり接続されており、この放熱装置６は、逆流防止ダイオードを固定し、逆流防止ダイオードが発生する熱を箱本体から外へ放散させるために使用されており、底封止リング５は内蔵キャビティ４と放熱装置６の間に設けられている。内蔵キャビティ４は封止箱本体２にしっかり接続されており、封止箱本体２および封止箱カバー１は封止箱を形成し、逆流防止ダイオードは封止箱内に位置する。封止箱本体２は、ケーブルアクセス用の貫通穴を備えており、箱本体封止用リング３は、貫通穴の周りに設けられる。【選択図】図２
0003207577.tif 000002
【実用新案登録請求の範囲】
【請求項１】
逆流防止ダイオードを備えた接続箱であって、箱本体を備えており、前記箱本体内に少なくとも1つの内蔵キャビティ(4)が設けられており、前記内蔵キャビティ(4)は、放熱装置(6)にしっかり接続されており、前記放熱装置(6)は、逆流防止ダイオード(7)を固定し、前記逆流防止ダイオード(7)が発生する熱を前記箱本体から外へ放散させるために使用されており、底封止リング(5)は前記内蔵キャビティ(4)と前記放熱装置(6)の間に設けられている、逆流防止ダイオードを備えた接続箱。
【請求項２】
前記内蔵キャビティ(4)は封止箱本体(2)にしっかり接続されており、前記封止箱本体(2)および封止箱カバー(1)は封止箱を形成し、前記逆流防止ダイオード(7)は前記封止箱内に位置する、請求項1に記載の逆流防止ダイオードを備えた接続箱。
【請求項３】
前記封止箱本体(2)は、ケーブルアクセス用の貫通穴を備えており、箱本体封止用リング(3)は前記貫通穴の周りに設けられる、請求項2に記載の逆流防止ダイオードを備えた接続箱。
【請求項４】
前記放熱装置(6)は前記内蔵キャビティ(4)の底部に設けられており、前記逆流防止ダイオード(7)は、前記放熱装置(6)の上部へ固定されている、請求項1から3のいずれか一項に記載の逆流防止ダイオードを備えた接続箱。
【請求項５】
前記放熱装置(6)は、アルミニウム板または放熱器である、請求項4に記載の逆流防止ダイオードを備えた接続箱。
【請求項６】
２つの内蔵キャビティ(4)は、前記箱本体内に並んで設けられている、請求項5に記載の逆流防止ダイオードを備えた接続箱。
【考案の詳細な説明】
【技術分野】
【０００１】
本出願は、電気装置の技術分野に関し、より詳細には、逆流防止ダイオードを備えた接続箱に関する。
【背景技術】
【０００２】
地球規模のエネルギー不足が深刻化するにつれて、再生可能エネルギーの開発がますます重要になっている。グリッド接続された太陽光発電技術は、再生可能エネルギー技術の重要な部分として、近年急速に発展してきた。
【０００３】
大規模なグリッド接続された太陽光発電システムについては、太陽光電池モジュールとインバータの間の配線接続を減少させ、保守を容易にし、信頼性を向上させるために、直流接続装置が、太陽光電池モジュールとインバータの間に追加されることが要求されている。
【０００４】
太陽光電池接続箱によって、使用者は、インバータによって入力される電圧範囲に従って、同じ仕様を有するある個数の太陽光電池モジュールを一続きにし、次いで複数の一続きのものを、組み合わされる太陽光電池アレイ接続箱に接続し、それによってサージ保護装置および回路遮断器へ配線された後に出力を与え、これによって後段階のインバータへのアクセスを容易にし、システムの安全性を確実にし、システム取り付け時間を大幅に減少させることができる。
【０００５】
使用時および保守時には逆接続または誤接続が存在し得るので、太陽光電池直流側で、一続きの枝ごとに逆流防止ダイオードが必要とされる。一般に、逆流防止ダイオードは一入力に一出力、または二入力に一出力であり、これは接続箱の接続箱側に配設される。逆流防止ダイオードは、接続箱の底パネルに配設された、またはアルミニウム板もしくは放熱器に配設され、そして接続箱の底パネルに固定されている底部放熱部品を有する。
【０００６】
上記構成は、以下の問題を生じさせ得る。
【０００７】
まず、逆流防止ダイオードが取り付けられている場所に外部放熱穴が設けられていない。逆流防止ダイオードの動作中に発生する全ての熱が、箱本体の中に放散される。または、逆流防止ダイオードの全ては、単一の放熱装置に取り付けられ、熱が中央領域に集まることを引き起こす。
【０００８】
次に、逆流防止ダイオードは、かなりの熱を発生させる。通常の光領域において、単一の16ウェイ接続箱は、100〜120Wの熱を発生させ得る。逆流防止ダイオードは、動作中に完全に外部にさらされ、発生した熱は、熱放射によって接続箱の本体の内側および外側から放散され、これによって接続箱内のモニタリング部品の耐用年数、および電流センサまたは電圧センサのサンプリング精度に悪影響が生じ得るとともに、回路遮断器をトリップしがちにさせるが、これは回路遮断器の通常動作に悪影響を及ぼし得る。
【０００９】
最後に、逆流防止ダイオードの電圧はDC1000Vまでとなり得、逆流防止ダイオードが保護シールドなしで完全に外部にさらされる場合、電気衝撃が、取り付け中および保守中に生じやすくなる。
【考案の概要】
【考案が解決しようとする課題】
【００１０】
本出願の目的は、逆流防止ダイオードを備えた接続箱を提供することであり、この接続箱は、低品位の放熱性能、および低いイングレスプロテクション等級などの問題に対処することができる。
【課題を解決するための手段】
【００１１】
上記目的を達成するために、本出願によれば、箱本体を備える逆流防止ダイオードを備えた接続箱が提供され、この箱本体は、少なくとも1つの内蔵キャビティが、箱本体内に設けられている。内蔵キャビティは放熱装置にしっかり接続されており、この放熱装置は逆流防止ダイオードを固定し、逆流防止ダイオードが発生する熱を箱本体から外へ放散させるために使用されており、底封止リングは内蔵キャビティと放熱装置の間に設けられている。
【００１２】
好ましくは、内蔵キャビティは封止箱本体にしっかり接続されており、封止箱本体および封止箱カバーは封止箱を形成する。逆流防止ダイオードは封止箱内に位置する。
【００１３】
好ましくは、封止箱本体は、ケーブルアクセス用の貫通穴を備えており。箱本体封止用リングは、貫通穴の周りに設けられている。
【００１４】
好ましくは、放熱装置は、内蔵キャビティの底部に設けられており、逆流防止ダイオードは、放熱装置の上部へ固定されている。
【００１５】
好ましくは、放熱装置は、アルミニウム板または放熱器である。
【００１６】
好ましくは、２つの内蔵キャビティは、前記箱本体内に並んで設けられている。
【００１７】
上記の背景技術と比較すると、本出願による逆流防止ダイオードを備えた接続箱は箱本体を備え、内蔵キャビティは箱本体内に配設される。逆流防止ダイオードは放熱装置にしっかり接続されているので、逆流防止ダイオードの動作中に発生する熱は、放熱装置によって放散される。底封止リングは、内蔵キャビティと放熱装置の間に設けられている。このようにして、逆流防止ダイオードの動作中に発生する熱流は、内蔵キャビティ内に囲まれ、箱本体の中には放散されず、これによって逆流防止ダイオードを備えた接続箱がIP65の保護等級に適合することを確実にする。
【図面の簡単な説明】
【００１８】
【図１】本出願の一実施形態による逆流防止ダイオードを備えた接続箱の構造を示す概略図である。
【図２】本出願の一実施形態による逆流防止ダイオードを備えた接続箱の構造を示す別の概略図である。
【図３】別の角度から見た図2における接続箱の構造を示す概略図である。
【図４】本出願の一実施形態による放熱装置が逆流防止ダイオードと接続されている構造を示す概略図である。
【考案を実施するための形態】
【００１９】
本出願の目的は、逆流防止ダイオードを備えた接続箱を提供することであり、この逆流防止ダイオードを備えた接続箱は、良好な放熱性能と、高いイングレスプロテクション等級とを有する。
【００２０】
理解を容易にするために、解決手段に含まれる技術的用語は、以下のように説明される。
【００２１】
逆流防止ダイオード:逆流防止ダイオードは、逆電流防止ダイオード(reverse current prevention diode)とも呼ばれ、この逆流防止ダイオードは、逆電流を防ぐために使用されている。
【００２２】
IP保護等級:IPはイングレスプロテクションの略語であり、IＰ等級は、異物からの電気装置のハウジングの保護等級である。IP等級のフォーマットはIPXXであり、ここでXXはアラビア数字を表す。第１のマーク用数字は接点保護の等級および異物からの保護の等級を表し、第２のマーク用数字は水からの保護の等級を笑わす。
【００２３】
当業者が本出願の解決手段をより良く理解するために、以下、本出願は、図面および実施形態を参照してさらに詳細に説明される。
【００２４】
図1から図4を参照する。図1は、本出願の一実施形態による逆流防止ダイオードを備えた接続箱の構造を示す概略図である。図2は、本出願の一実施形態による逆流防止ダイオードを備えた接続箱の構造を示す別の概略図である。図3は、別の角度から見た図2における接続箱の構造を示す概略図である。図4は、本出願の一実施形態による放熱装置が逆流防止ダイオードに接続されている構造を示す概略図である。
【００２５】
本出願による逆流防止ダイオードを備えた接続箱は箱本体を備えており、この箱本体内に少なくとも1つの内蔵キャビティ4が設けられている。逆流防止ダイオード7は放熱装置6にしっかり接続されており、この放熱装置6は、逆流防止ダイオード7が発生する熱を放散するように構成されている。さらに、放熱装置6は内蔵キャビティ4にしっかり接続されており、底封止リング5は放熱装置6と内蔵キャビティ4の間にさらに設けられている。
【００２６】
上記の構成に関しては、逆流防止ダイオードの動作中に発生する熱流は、内蔵キャビティ内に囲まれ、箱本体の中には放散されず、これによって逆流防止ダイオードを備えた接続箱がIP65の保護等級に確実に適合するようになる。
【００２７】
上記に基づいて、内蔵キャビティ4は封止箱本体2にしっかり接続されており、封止箱本体2および封止箱カバー1は封止箱を形成する。逆流防止ダイオード7は、封止箱内に位置する。
【００２８】
言い換えれば、逆流防止ダイオード7、放熱装置6、内蔵キャビティ4、および封止箱は、一体封止キャビティ構造を形成する。逆流防止ダイオード7は放熱装置6上へ固定されており、放熱装置6は内蔵キャビティ4にしっかり接続されており、これらは全て、封止箱内に一体に封入されている。したがって、逆流防止ダイオード7の動作中に発生する熱流は封止箱内に囲まれ、接続箱の箱本体の中には放散されない。熱流は、放熱装置6を介して箱本体から外へ伝導されることによって放散される。一体封止キャビティ構造は、接続箱がIP65の保護等級に適合することを可能にし、接続箱が屋外に取り付け可能とすることを確実にする。さらに、上記封止されたキャビティ構造は、配線、取り外し、保守などの作業を容易にすることができる。逆流防止ダイオード7は、動作中に封止箱内に囲まれており、これによって操作者の身体の安全が確実になる。
【００２９】
さらに、封止箱の封止箱本体2は貫通穴を備えており、箱本体封止用リング3は貫通穴の周りに設けられている。つまり、封止箱は封止箱カバー1を備え、この封止箱カバー1は、使用されるときに、以下の、配線、取り外し、保守などの作業を行うために開くことができる。さらに、封止箱カバー1は封止用リングを備えており、この封止用リングは、確実に熱が接続箱の箱本体の中には放散されないようにする。
【００３０】
明らかに、封止箱本体2は貫通穴を備え、箱本体封止用リング3はこの貫通穴の中に設けられるので、ケーブルはアクセス容易になっており、ケーブルが箱本体封止用リング3にぴったりと収められ、これによって確実に熱が接続箱の箱本体の中には放散されないようになっている。
【００３１】
より好ましくは、放熱装置6は内蔵キャビティ4の底部に設けることができ、逆流防止ダイオード7は放熱装置6の上部に固定することができる。
【００３２】
逆流防止ダイオードを備えた接続箱は、封止箱カバー1、封止箱本体2、内蔵キャビティ4、および放熱装置6をこの順序で上部から底部へ備えていることが本明細書の図2または図3から理解することができる。逆流防止ダイオード7は、放熱装置6の上部に固定されており、これにより逆流防止ダイオード7が封止箱本体2内に位置することが可能になる。さらに、放熱装置6および内蔵キャビティ4は、底封止リング5によって封止されている。このようにして、放熱装置6は、逆流防止ダイオード7が発生する熱を箱本体から外へ伝導し放散させることができる。さらに、逆流防止ダイオード7は封止箱内に封止されているので、熱は箱本体の中において伝導せず拡散されない。さらに、放熱装置6は内蔵キャビティ4にしっかり接続されており、その表面間に底封止リング5が位置していることが、接続箱全体がIP65の保護等級に適合することを確実にしている。
【００３３】
明らかなことに、封止箱カバー1、封止箱本体2、内蔵キャビティ4、および放熱装置6の間の位置関係は、上記の説明に限定されない要求に依存していてもよい。
【００３４】
本明細書中、放熱装置6は、アルミニウム板または放熱器として配置されることが好ましい。すなわち、放熱手段があるので、逆流防止ダイオード7は、アルミニウム板または放熱器などの放熱装置6に取り付けられる。逆流防止ダイオード7が発生する熱流は、放熱装置6を介して箱本体から外へ伝導され放散される。放熱装置6は、内蔵キャビティ4に固定されている。底封止リング5は放熱装置6および内蔵キャビティ4が接続されている表面間に取り付けられており、底封止リング5は接続箱全体がIP65の保護等級に適合することを確実にすることができる。
【００３５】
本明細書中の２つの内蔵キャビティ4は、箱本体内に並んで配設することができることに留意されたい。明らかなことに、内蔵キャビティ4の個数は、他の個数とすることもでき、これは本明細書中の説明に限定されない。すなわち、内蔵キャビティ4の個数は１つまたは２つ以上として設定することができ、内蔵キャビティ4はそれに応じて一組の放熱装置6を備えることができ、放熱装置6は逆流防止ダイオード7が発生する熱流を箱本体から外へ伝導し放散させるために使用される。
【００３６】
明らかなことに、本明細書中に含まれる内蔵キャビティ4および封止箱の個数および位置は、実際の要求に応じることができ、任意の交換された順序は全て本実用新案の範囲内に含まれることに留意されたい。さらに、基本的な電源装置の個数は本明細書中には限定されておらず、任意の個数の基本的な電源装置の全ては本実用新案の範囲内に含まれる。さらに、封止箱は、正の極性側または負の極性側で使用することができ、これは、本出願に限定されない。
【００３７】
本出願による逆流防止ダイオードを備えた接続箱は、以上に詳細に説明されている。本説明中において、特定の例が、本出願の原理および実施形態を説明するのに使用されている。例および実施形態は、本出願の方法および概念をより良く理解するためのものに過ぎない。本出願の原理から逸脱せずに、様々な改良および修正が当業者によってなされてもよく、それらも実用新案登録請求の範囲によって画定される保護範囲内にあることに留意されたい。
【符号の説明】
【００３８】
1  封止箱カバー
2  封止箱本体
3  箱本体封止用リング
4  内蔵キャビティ
5  底封止リング
6  放熱装置
7  逆流防止ダイオード
【図１】
0003207577.tif 000003
【図２】
0003207577.tif 000004
【図３】
0003207577.tif 000005
【図４】
0003207577.tif 000006